(57)【要約】【課題】  建物の防蟻処理が簡単にできる布基礎外面のＵ字溝防蟻構造において、防蟻剤の使用量を抑えながらも、防蟻効果を長期に持続させて、土壌から建物へのシロアリ侵入を防止できる防蟻構造を提供する。【解決手段】  このＵ字溝防蟻構造は、建物を支える布基礎の外側立上がり面３の外面に側板１６を介して、密接して設けられるＵ字溝１５は、吸着材２２が敷かれた上面に設置されると共にＵ字溝１５の底板１７には長手方向に間隔を設けて複数の排出口１９が設けられ、この排出口１９の幾つかを隔壁１８で仕切り、この隔壁１８間に防蟻剤２６を注入し吸着材２２に吸収し放出、近傍土壌に防蟻剤２６を効果的に散布する。【選択図】図１
2011256690.tif 000002
【特許請求の範囲】
【請求項１】
建物を支える布基礎の外側立上がり面３の外面に、側板１６を介して密接して設けられるＵ字溝１５は、吸着材２２が敷かれた上面に設置されると共にＵ字溝１５の底板１７には長手方向に間隔を設けて複数の排出口１９が設けられ、この排出口１９の幾つかを隔壁１８で仕切り、該隔壁１８間に防蟻剤２６を注入できるようにすると共に、Ｕ字溝１５上面には容易に外れないための手段を介してフタ２１が設けられてなることを特徴とする建物基礎のＵ字溝防蟻構造。
【請求項２】
前記Ｕ字溝１５の底板１７に、排出口１９の代わりに設置穴２８を設け、定期的に取替えできる固形防蟻剤２７を該設置穴２８に装着し、固形防蟻剤２７を長期にわたり溶出させ近傍の地中に浸透させることを特徴とする請求項１記載の建物基礎のＵ字溝防蟻構造。
【発明の詳細な説明】
【技術分野】
【０００１】    本発明は、建物の基礎付近からシロアリの侵入を防止して、建物をシロアリの食害から防護するための防蟻構造および防蟻方法に関する。
【背景技術】
【０００２】    従来から住宅など建築物は、シロアリによる食害から防護するために、色々な対策が実施され、また新しい対策方法が提案されている。例えば、基礎近傍の土壌に防蟻剤を散布または土壌注入や土台などに防蟻剤の塗布または加圧注入による防蟻剤含浸などは一般的な防蟻処理である。しかし、有効に防蟻効果が持続するのは約５年間であるので、５年経過毎に再防蟻処理が必要で、その都度多大なコストが発生している。
一方、床下の高湿環境や通風不足に起因する結露によるカビ発生、木部の腐朽などはシロアリの食害等に至ることもあり、これらの対策に床下調湿剤敷設、床下換気扇の設置などが一般的になされている。しかし、この床下高湿環境は、床下地盤面より建物周囲の地盤面が高いか同等程度の場合、室外から床下への水分流入がされ易くなることが根本原因である。この根本原因を是正しなければ、床下調湿剤はこの高湿空気を吸収し、すぐ飽和状態になるので床下の高湿環境は改善されない。さらにこの高湿環境において床下換気扇で通風換気しても結露は解消せず、カビやシロアリの食害等が発生しているのが現状である。なお、本願発明に関する公知技術として次の特許文献１〜３および非特許文献１〜４の物件がある。
【先行技術文献】
【特許文献】
【０００３】
【特許文献１】特開平１１−３２４１５４号公報
【特許文献２】登録特許第３３２３０００号公報
【特許文献３】特開２００９−１３８３６０号公報
【非特許文献】
【０００４】
【非特許文献１】（社）日本しろあり対策協会の「防除施工標準仕様書」Ｐ１１及びＰ１４  平成２１年８月発行
【非特許文献２】埼玉白蟻株式会社ホームページより  「外周処理仕様」
【非特許文献３】木造住宅工事共通仕様書  監修  住宅金融支援機構  参考図  布基礎詳細およびベタ基礎詳細  ページ２４、２５
【非特許文献４】ホームページより  ＮＰＯ住宅１１０番「床下の結露・湿度」２００６／１０／１８号  （株）札促社  住まいの雑誌  ＲＥＰＬＡＮ  北海道
【０００５】    上記特許文献１では、「上方に開いた凹部もしくは溝が長さ方向に沿って形成されており、かつ該凹部もしくは溝に液体が貯留もしくは通流されている液体支持部材が、建造物の基礎構造体の少なくともビルドエリアに面する地上部側面の全周にわたり連続して密接固定されており、前記液体支持部材において液体の液面が上記全周にわたり連なるように液体が貯留もしくは通流されていることを特徴とする建造物の防蟻構造」が記載されている。【０００６】    さらに特許文献２では、「周壁に防蟻剤噴射用の多数のオリフィスが形成された防蟻剤散布用パイプを、建築物の基礎工事に際して、少なくとも床下の地中に予め配管し、且つ該防蟻剤散布用パイプの防蟻剤供給口に外部から防蟻剤を供給できるようにし、その後前記防蟻剤散布用パイプが地中に配管された土間の表面に土間コンクリートを打設してなり、前記防蟻剤散布用パイプの前記防蟻剤供給口に外部から防蟻剤を供給することによって、土間コンクリートを打設後も建築物の床下の地中に防蟻剤を注入散布できるようにしてなることを特徴とする建築物の防蟻処理工法」が記載されている。【０００７】    さらに特許文献３では、「布基礎１の立上がり部４と土間コンクリート２の端部との接合部分１０に沿って、防蟻剤を吸着保持する吸着材１１を配設するとともに、前記吸着材１１に沿って防蟻剤供給管２１を配設して、前記防蟻剤供給管２１の長手方向に間隔をあけて形成した複数の吐出口２２・・から前記吸着材１１に対して防蟻剤を吐出させるようにしたことを特徴とする基礎の防蟻構造」が記載されている。【０００８】    さらに非特許文献１においては、「建物の外周の防除処理が必要な場合は、薬剤が外部へ流出しないような方法で行う。」と仕様書に明記されているが、この施工方法などの詳細は該仕様書には記載されていない。【０００９】    さらに非特許文献２は、「上記非特許文献１を具体化した外周処理（溝処理）の施工方法が記載されており、この外周処理方法は写真に示すように、布基礎の外周に沿って、土壌に幅１５ｃｍ、深さ２０ｃｍ以上の溝を掘り、シロアリ防除薬剤をこの溝内に流し込んだ後、この溝を土壌で埋め戻す処理方法である。しかし布基礎の外周に溝が形成できず溝処理ができない場合は、専用の注入機で外周付近の土壌中に薬剤の加圧注入処理を行う。この溝処理方法では、布基礎外周の土壌に溝堀りおよび埋め戻し作業を行う必要があり、またこの外周処理は、シロアリ防除薬剤の効果が低下するので５年毎に再処理を行う必要がある」と記載されている。【００１０】    さらに非特許文献３には、「床下地盤面は建物周囲の地盤面より５０ｍｍ以上高くすること」と仕様書で規定されている。【００１１】    さらに非特許文献４には、「住宅の床下結露によるタタミのカビ等の被害」の問い合わせに対して「その原因と対策」を専門家の回答事例が記載されている。原因は基礎外周部に花壇等の設置で土盛りや、床下地盤面の沈下などで、床下地盤面が建物周囲の地盤面より低くなっているので、対策としてまず床下地盤面を、建物周囲の地盤面より最低５０ｍｍ以上高くする必要があり、この地盤高低差が大きいほど改善効果が発揮できる。この対策工事は床板を剥がして床下に��を充填、均一にならし、その上にポリフィルムを敷きこみ、重ね部分に乾燥砂を被せること。」と専門家のアドバイスが記載されている。
【発明の概要】
【発明が解決しようとする課題】
【００１２】    以上に述べた従来の建物基礎の防蟻構造において、
特許文献１では、シロアリ侵入防止支持部材に形成された樋の中の油に、空中の塵埃が入り込み堆積し易い。したがって容易にシロアリがこのシロアリ侵入防止支持部材を乗り越え、布基礎から木部に到達できるので、防除の目的が達成されない。また、油の補給など定期的な点検が必要で煩わしい。
特許文献２では、防蟻剤散布用パイプのオリフィスから防蟻剤が地中に注入散布されるが、外部供給口近くのオリフィスは最も管内抵抗が小さいので、防蟻剤の噴射量が多くなり、また供給口から遠いオリフィスは、最も管内抵抗が大きくなるので防蟻剤の噴射量は少なくなる。したがって、建物全周の各オリフィス噴射量は同等にならず，必要な防蟻効果を確保するためには、防蟻剤が多量必要になり土壌汚染が著しく広がる恐れがある。
特許文献３では、防蟻剤は防蟻剤供給管の管内を流れて、複数の吐出口から吸着材へ向けて吐出する。と記載されているが、防蟻剤供給管の端部から流入の防蟻剤は、流入口から近い吐出口から先に吸着材へ流入する。したがって防蟻剤供給管の端部から遠くの吐出口ほど吸着材への流入が少なくなる可能性がある。また、図２〜３において防蟻剤供給管に配設された吐出口は、管内高さ中央より上側に穴明けされており、この位置まで防蟻剤が流入後、吐出口から防蟻剤が溢れ出すことになる。さらに土間面は不陸による高低差があるので供給管が全長にわたり水平にならず、吐出口が低い所から先に防蟻剤が溢れ出すので各吐出口の防蟻剤量は同等にならず、必要な防蟻効果を確保するためには、所により多量に排出し総量は多くなるので汚染が著しく広がる恐れがある。また、吐出口の下部管内には防蟻剤が蒸発し乾燥するまで長期間貯留するので、特に基礎断熱構造では、床下空気が室内に流入するので、有害物質が室内へ流入する危険性が高い。【００１３】    また非特許文献１では、具体的な施工方法が示されていないが、この非特許文献１を具体化した非特許文献２では、外周処理における溝処理方法は、土壌の溝堀りと埋め戻し作業を行う必要があり、しかも薬効の低下による５年毎の外周再防蟻処理が必要で、その都度多大なコストが発生する。また非特許文献３では、床下地盤面の高さを外部地盤より５０ｍｍ以上高くする仕様が要求されている。さらに非特許文献４では、床下結露の対策で「床下地盤面を基礎外周地盤面より高くするために砂を充填し、その上にポリフィルムを敷きこみ、重ね部分に乾燥砂を被せる。」とあるが、この工事は床板を剥がすなど大工事となり、また床下作業はやり難いので多大なコストが発生する。【００１４】    そこで本発明は、上記の問題点を解消して、建物の新築および既築を問わず防蟻処理に大掛かりな機器を使用せず、簡単な注入散布作業により防蟻剤の使用量を抑えながらも、防蟻効果を長期に持続させて、土壌から建物へのシロアリ侵入を防止できる防蟻構造を提供する。
【課題を解決するための手段】
【００１５】  本発明は上記課題を解決するために、その発明１は、建物を支える布基礎の外側立上がり面３の外面に、側板１６を介して密接して設けられるＵ字溝１５は、吸着材２２が敷かれた上面に設置されると共にＵ字溝１５の底板１７には長手方向に間隔を設けて複数の排出口１９が設けられ、この排出口１９の幾つかを隔壁１８で仕切り、該隔壁１８間に防蟻剤２６を注入できるようにすると共に、Ｕ字溝１５上面には容易に外れないための手段を介してフタ２１が設けられてなることを特徴とする建物基礎のＵ字溝防蟻構造。【００１６】  その発明２は、前記Ｕ字溝１５の底板１７に、排出口１９の代わりに設置穴２８を設け、定期的に取替えできる固形防蟻剤２７を該設置穴２８に装着し、固形防蟻剤２７を長期にわたり溶出させ近傍の地中に浸透させることを特徴とする請求項１記載の建物基礎のＵ字溝防蟻構造。
【発明の効果】
【００１７】    本発明は、上記構成から成るので以下に示す効果が期待できる。
（１）Ｕ字溝１５の各隔壁１８内に、ほぼ同等量の防蟻剤２６をジョウロ２５などで注入散布するだけで、土壌中の濃度が全長ほぼ一様にできるので、防蟻剤２６の無駄な使用がなく土壌汚染も少なくできる。さらにこの防蟻処理は、大掛かりな防蟻剤注入機器が不要で、簡単な作業のため一度設置すれば家庭でも簡単に防蟻再処理ができる。
（２）また従来の防蟻処理の効果は５年程度しかないが、この防蟻構造内に、固形防蟻剤２７を設置した処理では、長期間防蟻剤を保持し地中に徐々に溶出させ浸透させることができるので、従来の工法より長期間の防蟻効果が期待できる。
（３）この防蟻構造は、基礎外周に防蟻剤２６を散布するので、特に基礎断熱構造では室内に汚染物質が流入する恐れがなく、また外張り断熱材３４の下と布基礎との間や布基礎の立上がり部２のコンクリート打ち継ぎ部５には、シロアリが侵入し蟻道が形成し易いが、この近傍土壌に防蟻剤２６が散布され浸透するので、防蟻に著しい効果がある。
（４）床下の結露やカビの根本原因は、床下地盤面１０が建物周囲の地盤面９より低いことであるが、この構造では建物周囲の地盤面９が床下地盤面１０より低くなるので、床下への水分流入や布基礎からの水分浸透も少なくなるので、床下の高湿環境が改善され結露やカビの発生が少なくなる。
（５）降雨時、外壁や布基礎の外側立上がり面３に、敷地の土や泥を跳ね返すことが少なくなり汚れ難くなる。
（６）この防蟻構造は、新築および既築住宅の基礎断熱構造や床断熱構造の両断熱構造にも適用できる。
【図面の簡単な説明】
【００１８】
【図１】本発明の実施形態を示す防蟻構造の要部を示す破断斜視図である。
【図２ａ】は布基礎に設置した防蟻構造の図２ｂの水平Ａ−Ａ線破断平面図および一部はフタの上部から見た水平Ｂ−Ｂ線外視図。
【図２ｂ】は防蟻構造の図２ａのＣ−Ｃ線断面図。
【図２ｃ】は防蟻構造を犬走り部先端に設置した図２ａのＤ−Ｄ線断面図。
【図３ａ】は布基礎に防蟻構造を設置前の断面図。
【図３ｂ】は設置手順（１）布基礎の外側立上がり面の土壌を掘った状態を示した断面図。
【図３ｃ】は設置手順（２）布基礎に防蟻構造を設置後の断面図。
【図３ｄ】は設置手順（３）Ｕ字溝に防蟻剤をジョウロで注入している状態を示す断面図。
【図４ａ】は基礎外張り断熱構造に防蟻構造を設置した断面図。
【図４ｂ】はベタ基礎に防蟻構造を設置した断面図。
【図４ｃ】は吸着材の図面。
【図５ａ】は防蟻構造に固形防蟻剤を装着した断面図。
【図５ｂ】はＵ字溝に固形防蟻剤を装着および設置穴を示し図５ａの水平Ｅ−Ｅ線破断平面図。
【図５ｃ】は図５ａの防蟻構造の詳細図。
【図６ａ】は床下地盤面が建物周囲地盤面より高い状態の断面図。
【図６ｂ】は建物周囲地盤面に花壇などの土盛りで、床下地盤面が建物周囲地盤面より低い状態になった場合の断面図。
【図６ｃ】は両地盤面が図６ｂの状態に防蟻構造を設置した場合の断面図。
【発明を実施するための形態】
【００１９】    以下、本発明の実施の形態を図面に基づいて説明する。
【００２０】    本発明の防蟻構造は、図１ないし図２ｂに示すように、Ｕ字溝１５とフタ２１および吸着材２２で構成され、Ｕ字溝１５は底板１７の両側に側板１６がＵ字型に一体に形成され、側板１６の上面にフタ２１が設けられ、底板１７の下面には吸着材２２が設けられている。
【００２１】    次に図２ａおよび図２ｂに示すように、Ｕ字溝１５は防水テープ２０を間に挟んで建物周囲に沿って布基礎の外側立上がり面３に密接固定し、その設置作業要領は、図３ａに示す布基礎１外側土壌に沿って長手に図３ｂに示すように、巾約１５ｃｍ程度で深さは地表面から防蟻本体１５に雨水が流入しないように、地盤側の側板１６上端が、外地盤面より約３から５ｃｍ程度高くなるように溝掘り３３し底面を付き固める。なお防水テープは耐久性のあるＥＰＤＭ（エチレン・プロピレン・ジエンの共重合体）などで、水分を透過させない発泡材で形成されている。
【００２２】    次に図３ｃおよび図３ｄに示すように、溝底面に吸着材２２を置いてＵ字溝１５を吸着材２２の上に置き、布基礎の外側立上がり面３にＵ字溝１５の側板１６の上部をコンクリートアンカー２３などで取付け固定する。なお布基礎の外側立上がり面３のコンクリート表面は、あらかじめ防水塗装処理をしておく。
【００２３】    次に図３ｃに示すように、Ｕ字溝１５と溝地盤との隙間に土砂３７を埋め戻して突き固め、Ｕ字溝１５を固着する。
【００２４】    次に図３ｄに示すように、布基礎の外側立上がり面３と接する側板１６の間に雨水浸入防止のため、側板１６の上部にシーリング処理２４した後、フタ２１をＵ字溝１５上面に被せる。
【００２５】  次に図３ｄや図２ｂに示すように、フタ２１は、Ｕ字溝１５の側板１６に嵌め込みなどの手段で固定されており、地震や強風などで容易に外れないように形成されている。なお、Ｕ字溝１５内には、大量の雨水浸入は良くないのでシーリングなどで防水対策を施す。
【００２６】  次に図２ｂに示すように、Ｕ字溝１５およびフタ２１は、耐久性のあるアルミ合金、ステンレスなどの金属や合成樹脂の押出し型材、射出成型品や再生樹脂製品、金属と合成樹脂の複合材やコンクリートやＧＲＣ（ガラス繊維強化セメント）やＦＲＰ（ガラス繊維等の強化プラスチック）やセラミック等の材料で形成されている。
【００２７】    次に図２ａおよび図２ｂに示すように、Ｕ字溝１５は吸着材２２が敷かれた上面に設置され、底板１７にほぼ一定間隔に複数の排出口１９が設けられ、Ｕ字溝１５に注入された防蟻剤２６はこの排出口１９から排出され、一旦この吸着材２２に吸収保持した後、徐々に地中に放出し土壌に浸透させる。なお吸着材２２は、図４ｃに示すように樹脂製スポンジなどの発泡材や不織布や綿などで、防蟻剤２６を吸放出し易い材料で形成されている
【００２８】    さらに図２ａおよび図２ｂに示すように、Ｕ字溝１５は各排出口１９からの防蟻剤２６の量がほぼ同等になるように、排出口１９が幾つか毎に区画するための隔壁１８を設けており、この隔壁１８は隣の区画に防蟻剤２６が流れ出ないようにせき止めるもので、Ｕ字溝１５と一体成型かまたは別部材で形成されている。
【００２９】    また図２ａは、布基礎部の平面図で、テラス１１や玄関ポーチ１２や犬走り１３などを含め、ほぼ布基礎全周に設置したＵ字溝１５を示し、一部はフタ２１を被せた状態を示す。なお防蟻構造１４は、奥行き約１０ｃｍ程度のスペースで済むので、都会の狭小地でも設置し易い。
【００３０】    次に図２ｃは、犬走り１３の先端に防蟻構造１４の設置状態を示す。本来犬走り１３の目的は、床下に雨水が浸透するのを防ぐ事と降雨時泥水を跳ねて外壁を汚すのを防ぐ事であるが、この防蟻構造１４を布基礎の外側立上がり面３に設置することにより、犬走りと同様の機能がある。すなわち降雨時に図３ｃの土台水切り３０からフタ２１に雨水が滴下３１するので、外壁や布基礎を泥で汚すこともなく、また布基礎への水分浸透も少なくできるので、物件により犬走りを省略することもできる。
【００３１】    次に図３ｄに示すように、フタ２１を外しＵ字溝１５に防蟻剤２６をジョウロ２５などで注入し、吸着材２２に浸透させた後、布基礎近傍土壌に浸透させる。排出口１９の幾つかごとに隔壁１８で仕切られた区画に、防蟻剤２６を一定量ずつ注入し散布する。この本考案による防蟻構造は、ほぼ５年毎に都度行っていた土壌の溝堀りや埋め戻し作業が無くなり、防蟻剤２６を注入するだけの簡単な作業で済むので、従来の防蟻処理工法に比べ作業が極めて容易でコストが低減できる。
【００３２】    次に図４ａは、基礎断熱構造における外張り断熱を示し、この外張り断熱材３４はポリスチレン板や発泡ウレタンフオーム板などが使用されているが、布基礎の外側立上がり面３と外張り断熱材下部３５や外装仕上げ材３６の間からシロアリが侵入、蟻道をつくり建築物の土台などシロアリの食害に至るケースが多く、また布基礎のフーチング４と立ち上がり部２とコンクリート打ち継ぎ部５に、ヒビが入り易いので、このヒビの隙間からシロアリが侵入することが多い。本考案の防蟻構造１４を設置し防蟻処理をすれば、シロアリの侵入の恐れのあるこの近傍に防蟻剤２６が浸透するのでシロアリの侵入を阻止できる。
【００３３】    次に図５ａは、防蟻構造１４に固形防蟻剤２７を装着した断面図で、固形防蟻剤２７は小穴や網目状のプラスチックや非金属や金属や不織布などのケースに入れられ、形成されたカートリッジ式で、このケースは、吸着材２２および土壌に接しているので、固形防蟻剤２７を地中に溶出させ浸透させることができる。図５ｃは、図５ａの詳細図で、固形防蟻剤２７を底板１７に形成された設置穴２８に上から落とし込み装着する。なお吸着材２２は、固形防蟻剤２７の部分はスポンジをへこますかまたは穴を開けておく。なお固形防蟻剤２７を用いる場合は、吸着材２２を使用しない場合も考えられる。
【００３４】    図５ｂは、固形防蟻剤２７の設置穴２８および該固形防蟻剤２７の装着状態を上方から視たところを示し、基礎外周に約３０〜４５ｃｍ程度の間隔に設置する。なお実施形態では固形防蟻剤２７としたが、粒状の防蟻剤や、粉状の防蟻剤や、ゼリー状の防蟻剤など各種形態の防蟻剤を用いても良い。このカートリッジ式による防蟻再処理は、このケース入りの固形防蟻剤２７を現場に持ち込み取り替えるだけで済むので、従来の防蟻処理工法に比べ作業が極めて容易でコストが低減できる。
【００３５】    次に６ａ図は、非特許文献３の木造住宅工事共通仕様書通り、床下地盤面１０が建物周囲の地盤面より高い正常状態を示し、図６ｂは、建物周囲の地盤面９に花壇などで土盛りをすると、床下地盤面１０が建物周囲の土盛り時、地盤面３８より低くなり、この状態では、床下に水分が流入し易くなり床下が高湿になる恐れがある。そこで図６ｃに示すように本発明の防蟻構造を設置すれば、Ｕ字溝１５の最下部が建物周囲の実質地盤面３９となり、床下地盤面１０の方が高くなり、非特許文献３の木造住宅工事共通仕様書基準通りの正常な高さ状態に復帰する。このため降雨時や隣地などからの水分は、Ｕ字溝１５の下部地中に浸透するので、床下に水分が流入し難くなり、床下の高湿環境が大幅に改善され床下が結露し難くなる。
【符号の説明】
【００３５】１    布基礎
２    立上がり部
３    布基礎の外側立上がり面
４    フーチング
５    コンクリート打ち継ぎ部
６    ベタ基礎
７    押さえコンクリート
８    防湿フィルム
９    建物周囲の地盤面
１０  床下地盤面
１１  テラス
１２  玄関ポーチ
１３  犬走り
１４  Ｕ字溝防蟻構造
１５  Ｕ字溝
１６  側板
１７  底板
１８  隔壁
１９  排出口
２０  防水テープ
２１  フタ
２２  吸着材
２３  コンクリートアンカー
２４  シーリング処理
２５  ジョウロ
２６  防蟻剤
２７  固形防蟻剤
２８  設置穴
２９  外装仕上げ材
３０  土台水切り
３１  雨水滴下
３２  土盛り
３３  溝掘り
３４  外張り断熱材
３５  外張り断熱材下部
３６  外装仕上げ材
３７  土砂
３８  建物周囲の土盛り時地盤面
３９  建物周囲の防蟻構造設置時、実質地盤面
４０  床下地盤面と建物周囲の地盤面の高低差
【図１】
2011256690.tif 000003
【図２ａ】
2011256690.tif 000004
【図２ｂ】
2011256690.tif 000005
【図２ｃ】
2011256690.tif 000006
【図３ａ】
2011256690.tif 000007
【図３ｂ】
2011256690.tif 000008
【図３ｃ】
2011256690.tif 000009
【図３ｄ】
2011256690.tif 000010
【図４ａ】
2011256690.tif 000011
【図４ｂ】
2011256690.tif 000012
【図４ｃ】
2011256690.tif 000013
【図５ａ】
2011256690.tif 000014
【図５ｂ】
2011256690.tif 000015
【図５ｃ】
2011256690.tif 000016
【図６ａ】
2011256690.tif 000017
【図６ｂ】
2011256690.tif 000018
【図６ｃ】
2011256690.tif 000019
【手続補正書】
【提出日】平成22年11月12日(2010.11.12)
【手続補正１】
【補正対象書類名】特許請求の範囲
【補正対象項目名】請求項１
【補正方法】変更
【補正の内容】
【請求項１】
建物を支える布基礎の外側立上がり面３の外面に、側板１６を介して密接して設けられるＵ字溝１５は、吸着材２２が敷かれた上面に設置されると共にＵ字溝１５の底板１７には長手方向に間隔を設けて複数の排出口１９が設けられ、この排出口１９の幾つかを隔壁１８で仕切り、該隔壁１８間に防蟻剤２６を注入できるようにすると共に、Ｕ字溝１５上面には嵌め込み手段を介してフタ２１が設けられてなることを特徴とする建物基礎のＵ字溝防蟻構造。